(57)【特許請求の範囲】
【請求項１】
表示体が付された複数のオブジェクトを画面上に表示するタッチスクリーンディスプレイと、
前記タッチスクリーンディスプレイに対するジェスチャによって複数の前記オブジェクトのうちの１つの前記オブジェクトを拡大縮小する際に、
前記表示体の数および大きさを制御する第１の制御状態と、
前記表示体の大きさを固定した状態で、前記表示体の数を制御する第２の制御状態と、を遷移させるコントローラと、を備え、
前記コントローラは、
前記オブジェクトのサイズが所定値まで縮小するまでは、前記第２の制御状態として、既に表示されている前記表示体の大きさを固定した状態で前記表示体の数を減らし、
前記オブジェクトのサイズが前記所定値未満まで縮小すると、前記第１の制御状態として、既に表示されている前記表示体を縮小しかつ前記表示体の数を減らす電子機器。
【請求項２】
前記コントローラは、
前記オブジェクトのサイズが所定値まで拡大するまでは、前記第１の制御状態として、既に表示されている前記表示体を拡大しかつ前記表示体の数を増やし、
前記オブジェクトのサイズが前記所定値を超えて拡大すると、前記第２の制御状態として、既に表示されている前記表示体の大きさを固定した状態で、前記表示体の数を増やす請求項１に記載の電子機器。
【請求項３】
前記コントローラは、前記表示体の数を増やす場合、未だに表示されていない前記表示体を優先度の高い順に追加する請求項２に記載の電子機器。
【請求項４】
前記コントローラは、既に表示している前記表示体を優先度の低い順に削除する請求項１から３のいずれか１項に記載の電子機器。
【請求項５】
前記表示体は、文字、記号、画像のうちの少なくとも１つを含む情報である請求項１から４のいずれか１項に記載の電子機器。
【請求項６】
前記表示体は、前記オブジェクトが有する機能に関する情報である請求項１から５のいずれか１項に記載の電子機器。
【請求項７】
前記オブジェクトを拡大縮小するジェスチャは、ドラッグまたはピンチイン、ピンチアウトのいずれかである請求項１から６のいずれか１項に記載の電子機器。
【請求項８】
タッチスクリーンディスプレイを備える電子機器が実行する制御方法であって、
表示体が付された複数のオブジェクトを含む画面を前記タッチスクリーンディスプレイに表示するステップと、
前記タッチスクリーンディスプレイを介して複数の前記オブジェクトのうちの１つの前記オブジェクトを拡大縮小するジェスチャを検出するステップと、
前記オブジェクトの拡大縮小に応じて、前記表示体の数および大きさを制御する第１の制御状態と、前記表示体の大きさを固定した状態で前記表示体の数を制御する第２の制御状態とを遷移させる場合に、
前記オブジェクトのサイズが所定値まで縮小するまでは、前記第２の制御状態として、既に表示されている前記表示体の大きさを固定した状態で前記表示体の数を減らし、
前記オブジェクトのサイズが前記所定値未満まで縮小すると、前記第１の制御状態として、既に表示されている前記表示体を縮小しかつ前記表示体の数を減らすステップと、
を含む制御方法。
【請求項９】
タッチスクリーンディスプレイを備える電子機器に、
表示体が付された複数のオブジェクトを含む画面を前記タッチスクリーンディスプレイに表示するステップと、
前記タッチスクリーンディスプレイを介して複数の前記オブジェクトのうちの１つの前記オブジェクトを拡大縮小するジェスチャを検出するステップと、
前記オブジェクトの拡大縮小に応じて、前記表示体の数および大きさを制御する第１の制御状態と、前記表示体の大きさを固定した状態で前記表示体の数を制御する第２の制御状態とを遷移させる場合に、
前記オブジェクトのサイズが所定値まで縮小するまでは、前記第２の制御状態として、既に表示されている前記表示体の大きさを固定した状態で前記表示体の数を減らし、
前記オブジェクトのサイズが前記所定値未満まで縮小すると、前記第１の制御状態として、既に表示されている前記表示体を縮小しかつ前記表示体の数を減らすステップと、
を実行させる制御プログラム。
【発明の詳細な説明】
【技術分野】
【０００１】
本出願は、電子機器、制御方法、及び制御プログラムに関する。
【背景技術】
【０００２】
携帯電話やスマートフォンなどの電子機器には、利用頻度に応じてアイコンを拡大縮小して表示するものがある（例えば、特許文献１参照）。
【先行技術文献】
【特許文献】
【０００３】
【特許文献１】特開２０１４−５９７３６号公報
【発明の概要】
【発明が解決しようとする課題】
【０００４】
上記の電子機器では、アイコン、ウィジェット等のオブジェクトを拡大縮小する表示制御に改善の余地があった。
【課題を解決するための手段】
【０００５】
１つの態様に係る電子機器は、表示体が付されたオブジェクトを画面上に表示するタッチスクリーンディスプレイと、前記タッチスクリーンディスプレイに対するジェスチャによって前記オブジェクトを拡大縮小する際に、前記表示体の数および大きさを制御する第１の制御状態と、前記表示体の大きさを固定した状態で、前記表示体の数を制御する第２の制御状態と、を有するコントローラと、を備え、前記コントローラは、前記オブジェクトの拡大縮小に応じて、前記第１の制御状態と、前記第２の制御状態とを遷移させる。
【０００６】
１つの態様に係る制御方法は、タッチスクリーンディスプレイを備える電子機器が実行する制御方法であって、表示体が付されたオブジェクトを含む画面を前記タッチスクリーンディスプレイに表示するステップと、前記タッチスクリーンディスプレイを介して前記オブジェクトを拡大縮小するジェスチャを検出するステップと、前記オブジェクトの拡大縮小に応じて、前記表示体の数および大きさを制御する第１の制御状態と、前記表示体の大きさを固定した状態で前記表示体の数を制御する第２の制御状態とを遷移させるステップと、を含む。
【０００７】
１つの態様に係る制御プログラムは、タッチスクリーンディスプレイを備える電子機器に、表示体が付されたオブジェクトを含む画面を前記タッチスクリーンディスプレイに表示するステップと、前記タッチスクリーンディスプレイを介して前記オブジェクトを拡大縮小するジェスチャを検出するステップと、前記オブジェクトの拡大縮小に応じて、前記表示体の数および大きさを制御する第１の制御状態と、前記表示体の大きさを固定した状態で前記表示体の数を制御する第２の制御状態とを遷移させるステップと、を実行させる。
【図面の簡単な説明】
【０００８】
【図１】図１は、実施形態に係るスマートフォンの斜視図である。
【図２】図２は、スマートフォンの正面図である。
【図３】図３は、スマートフォンの背面図である。
【図４】図４は、ホーム画面の例を示す図である。
【図５】図５は、スマートフォンのブロック図である。
【図６】図６は、スマートフォンによるオブジェクトの拡大に係る制御の例を示す図である。
【図７】図７は、スマートフォンによるオブジェクトの縮小に係る制御の例を示す図である。
【図８】図８は、スマートフォンによるオブジェクトの拡大制御の例の処理手順を示すフローチャートである。
【図９】図９は、スマートフォンによるオブジェクトの縮小制御の例の処理手順を示すフローチャートである。
【発明を実施するための形態】
【０００９】
本出願に係る電子機器、制御方法、及び制御プログラムを実施するための実施形態を、図面を参照しつつ詳細に説明する。以下では、電子機器の例として、スマートフォンについて説明する。
【００１０】
（実施形態）
図１から図３を参照しながら、実施形態に係るスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１１】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１２】
タッチスクリーンディスプレイ２は、ディスプレイ２Ａと、タッチスクリーン２Ｂとを有する。図１の例では、ディスプレイ２Ａ及びタッチスクリーン２Ｂはそれぞれ略長方形状であるが、ディスプレイ２Ａ及びタッチスクリーン２Ｂの形状はこれに限定されない。ディスプレイ２Ａ及びタッチスクリーン２Ｂは、それぞれが正方形又は円形等のどのような形状もとりうる。図１の例では、ディスプレイ２Ａ及びタッチスクリーン２Ｂは重ねて配置されているが、ディスプレイ２Ａ及びタッチスクリーン２Ｂの配置はこれに限定されない。ディスプレイ２Ａ及びタッチスクリーン２Ｂは、例えば、並べて配置されてもよいし、離して配置されてもよい。図１の例では、ディスプレイ２Ａの長辺はタッチスクリーン２Ｂの長辺に沿っており、ディスプレイ２Ａの短辺はタッチスクリーン２Ｂの短辺に沿っているが、ディスプレイ２Ａ及びタッチスクリーン２Ｂの重ね方はこれに限定されない。ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。
【００１３】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。
【００１４】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。以下の説明では、タッチスクリーン２Ｂに対して接触する指、ペン、又はスタイラスペン等を、「接触オブジェクト」又は「接触物」と呼ぶことがある。
【００１５】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はスマートフォン１を操作するために指を用いてタッチスクリーン２Ｂに接触するものと想定する。
【００１６】
スマートフォン１は、タッチスクリーン２Ｂにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００１７】
「タッチ」は、タッチスクリーン２Ｂに指が触れるジェスチャである。スマートフォン１は、タッチスクリーン２Ｂに指が接触するジェスチャをタッチとして判別する。「ロングタッチ」は、タッチスクリーン２Ｂに指が一定時間より長く触れるジェスチャである。スマートフォン１は、タッチスクリーン２Ｂに指が一定時間より長く接触するジェスチャをロングタッチとして判別する。
【００１８】
「リリース」は、指がタッチスクリーン２Ｂから離れるジェスチャである。スマートフォン１は、指がタッチスクリーン２Ｂから離れるジェスチャをリリースとして判別する。「スワイプ」は、指がタッチスクリーン２Ｂに接触したままで移動するジェスチャである。スマートフォン１は、指がタッチスクリーン２Ｂに接触したままで移動するジェスチャをスワイプとして判別する。
【００１９】
「タップ」は、タッチに続いてリリースをするジェスチャである。スマートフォン１は、タッチに続いてリリースをするジェスチャをタップとして判別する。「ダブルタップ」は、タッチに続いてリリースをするジェスチャが２回連続するジェスチャである。スマートフォン１は、タッチに続いてリリースをするジェスチャが２回連続するジェスチャをダブルタップとして判別する。
【００２０】
「ロングタップ」は、ロングタッチに続いてリリースをするジェスチャである。スマートフォン１は、ロングタッチに続いてリリースをするジェスチャをロングタップとして判別する。「ドラッグ」は、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２１】
「フリック」は、指が、タッチスクリーン２Ｂに触れた後移動しながらタッチスクリーン２Ｂから離れるジェスチャである。すなわち、「フリック」は、タッチに続いて指が移動しながらリリースが行われるジェスチャである。スマートフォン１は、指が、タッチスクリーン２Ｂに触れた後移動しながらタッチスクリーン２Ｂから離れるジェスチャをフリックとして判別する。フリックは、指が一方方向へ移動しながら行われることが多い。フリックは、指が画面の上方向へ移動する「上フリック」、指が画面の下方向へ移動する「下フリック」、指が画面の右方向へ移動する「右フリック」、指が画面の左方向へ移動する「左フリック」等を含む。フリックにおける指の移動は、スワイプにおける指の移動よりも素早いことが多い。
【００２２】
「ピンチイン」は、複数の指が互いに近付く方向にスワイプするジェスチャである。スマートフォン１は、タッチスクリーン２Ｂにより検出されるある指の位置と他の指の位置との間の距離が短くなるジェスチャをピンチインとして判別する。「ピンチアウト」は、複数の指が互いに遠ざかる方向にスワイプするジェスチャである。スマートフォン１は、タッチスクリーン２Ｂにより検出されるある指の位置と他の指の位置との間の距離が長くなるジェスチャをピンチアウトとして判別する。
【００２３】
以下の説明では、１本の指により行われるジェスチャを「シングルタッチジェスチャ」と呼び、２本以上の指により行われるジェスチャを「マルチタッチジェスチャ」と呼ぶことがある。マルチタッチジェスチャは、例えば、ピンチインおよびピンチアウトを含む。タップ、フリックおよびスワイプ等は、１本の指で行われればシングルタッチジェスチャであり、２本以上の指で行われればマルチタッチジェスチャである。
【００２４】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なることがある。以下の説明では、説明を簡単にするために、「タッチスクリーン２Ｂが接触を検出し、検出された接触に基づいてジェスチャの種別をスマートフォン１がＸと判別すること」を、「スマートフォンがＸを検出する」、又は「コントローラがＸを検出する」と記載することがある。
【００２５】
図４を参照しながら、ディスプレイ２Ａに表示される画面の例について説明する。図４は、ホーム画面の例を示している。ホーム画面４０は、デスクトップ、待受画面、アイドル画面又は標準画面と呼ばれることもある。ホーム画面４０は、ディスプレイ２Ａに表示される。ホーム画面４０は、スマートフォン１にインストールされているアプリケーションのうち、どのアプリケーションを実行するかを利用者に選択させる画面である。スマートフォン１は、ホーム画面４０で選択されたアプリケーションをフォアグランドで実行する。フォアグランドで実行されるアプリケーションの画面は、ディスプレイ２Ａに表示される。
【００２６】
スマートフォン１は、ホーム画面４０にオブジェクトを配置することができる。図４に示すホーム画面４０は、複数のオブジェクト５０が配置されている。オブジェクト５０は、ホーム画面４０上で拡大縮小が可能に表示されている。オブジェクト５０は、例えば、アイコン５０Ａ、ウィジェット５０Ｂを含む。アイコン５０Ａ及びウィジェット５０Ｂは、表示体が付されている。表示体は、例えば、文字、文字列、文章、絵文字、画像のうちの少なくとも１つを含む。以下では、アイコン５０Ａ及びウィジェット５０Ｂを特定することなく、オブジェクト５０と総称することがある。
【００２７】
アイコン５０Ａは、スマートフォン１にインストールされているアプリケーションと対応付けられている。スマートフォン１は、アイコン５０Ａに対するジェスチャを検出すると、ジェスチャが検出されたアイコン５０Ａに対応付けられているアプリケーションを実行する。例えば、スマートフォン１は、メールアプリケーションに対応付けられたアイコン５０Ａに対するタップが検出されると、メールアプリケーションを実行する。
【００２８】
ウィジェット５０Ｂは、画面に埋め込み可能なアプリケーションソフトウェアである。ウィジェット５０Ｂは、定期的に、又は利用者の操作に応じて、表示する内容が更新される画面である。ウィジェット５０Ｂは、例えば、時計、カレンダー、画像、通知内容等を表示する。
【００２９】
オブジェクト５０の背後には、壁紙４１が表示される。壁紙４１は、フォトスクリーン、バックスクリーン、アイドル画像又は背景画像と呼ばれることもある。スマートフォン１は、任意の画像を壁紙４１として用いることができる。スマートフォン１は、壁紙４１として表示する画像を利用者が選択できるように構成されてもよい。
【００３０】
オブジェクト５０は、壁紙４１の一部を覆い隠すパネルとして機能している。図４に示す例では、複数のオブジェクト５０は、ホーム画面４０（壁紙４１）全体を覆っているが、これに限定されない。例えば、複数のオブジェクト５０は、壁紙４１全体を覆わないように配置されてもよい。
【００３１】
スマートフォン１は、複数のホーム画面を有していてよい。スマートフォン１は、例えば、ホーム画面４０の数を利用者による設定に従って決定する。スマートフォン１は、ホーム画面４０の数が複数であっても、選択された１つをディスプレイ２Ａに表示する。
【００３２】
ディスプレイ２Ａの上端には、領域４２が設けられている。領域４２には、電源の残量を示す残量マーク４３、及び通信用の電波の電界強度を示す電波レベルマーク４４が表示される。スマートフォン１は、領域４２に、時刻、天気、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０以外の画面でも設けられることがある。領域４２が設けられる位置は、ディスプレイ２Ａの上端に限定されない。
【００３３】
ホーム画面４０の上下方向について説明する。以下の説明では、ホーム画面４０の上下方向は、ディスプレイ２Ａに表示される文字または画像の上下方向を基準として決定されるものとする。したがって、図４に示すホーム画面４０では、タッチスクリーンディスプレイ２の長手方向において領域４２に近い側が上側であり、領域４２から遠い側が下側である。そして、領域４２において電波レベルマーク４４が表示されている側が右側であり、領域４２において残量マーク４３が表示されている側が左側である。
【００３４】
図４に示したホーム画面４０は、例であり、各種の要素の形態、各種の要素の配置、ホーム画面４０の数、及びホーム画面４０での各種の操作の仕方等は上記の説明の通りでなくてもよい。
【００３５】
本実施形態では、オブジェクト５０は、四角形である場合について説明するが、これに限定されない。例えば、オブジェクト５０は、三角形、円形等の他の形状としてもよい。オブジェクト５０は、異なる形状を組み合わせてホーム画面４０上に配置されてもよい。アイコン５０Ａとウィジェット５０Ｂは、利用者の好みのサイズでホーム画面４０上に配置することができる。
【００３６】
本実施形態では、オブジェクト５０は、表示体が付されている場合について説明するが、これに限定されない。オブジェクト５０は、表示体が付されていない、スマートフォン１にインストールされているアプリケーションと対応付けられていないものを含んでもよい。
【００３７】
図５は、スマートフォン１のブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７とを有する。
【００３８】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、接触を検出する。コントローラ１０は、スマートフォン１に対するジェスチャを検出する。具体的には、コントローラ１０は、タッチスクリーン２Ｂと協働することによって、タッチスクリーン２Ｂ（タッチスクリーンディスプレイ２）に対する操作（ジェスチャ）を検出する。
【００３９】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュを含むが、これらに限定されない。
【００４０】
ボタン３Ａ〜３Ｃは、例えば、ホームボタン、バックボタン又はメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００４１】
照度センサ４は、スマートフォン１の周囲光の照度を検出する。照度は、照度センサ４の測定面の単位面積に入射する光束の値である。照度センサ４は、例えば、ディスプレイ２Ａの輝度の調整に用いられる。近接センサ５は、近隣の物体の存在を非接触で検出する。近接センサ５は、磁界の変化又は超音波の反射波の帰還時間の変化等に基づいて物体の存在を検出する。近接センサ５は、例えば、タッチスクリーンディスプレイ２が顔に近付けられたことを検出する。照度センサ４及び近接センサ５は、一つのセンサとして構成されていてもよい。照度センサ４は、近接センサとして用いられてもよい。
【００４２】
通信ユニット６は、無線により通信する。通信ユニット６によってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００４３】
レシーバ７及びスピーカ１１は、音出力部である。レシーバ７及びスピーカ１１は、コントローラ１０から送信される音信号を音として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、音入力部である。マイク８は、利用者の音声等を音信号へ変換してコントローラ１０へ送信する。
【００４４】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００４５】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂを介して検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００４６】
ストレージ９は、例えば、制御プログラム９Ａ、メールアプリケーション９Ｂ、ブラウザアプリケーション９Ｃ、ナビゲートアプリケーション９Ｄ、音楽プレイヤーアプリケーション９Ｅ、カメラアプリケーション９Ｆ、計算機アプリケーション９Ｇ、テーブル９Ｔ、及び設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。ナビゲートアプリケーション９Ｄは、道案内等のためのナビゲーション機能を提供する。音楽プレイヤーアプリケーション９Ｅは、音楽を再生し、レシーバ７またはスピーカ１１から出力するためのプレイヤー機能を提供する。カメラアプリケーション９Ｆは、カメラ１２、１３により撮影するための撮影機能を提供する。計算機アプリケーション９Ｇは、例えば四則演算を行うための計算機機能を提供する。設定データ９Ｚは、スマートフォン１の動作に関する各種の設定に関する情報を含む。
【００４７】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。制御プログラム９Ａが提供する機能は、メールアプリケーション９Ｂ等の他のプログラムが提供する機能と組み合わせて利用されることがある。
【００４８】
制御プログラム９Ａは、タッチスクリーンディスプレイ２に対するジェスチャによってオブジェクト５０を拡大縮小する機能を提供する。コントローラ１０は、制御プログラム９Ａを実行することにより、タッチスクリーン２Ｂを介してオブジェクト５０に対する拡大縮小の操作を検出し、検出した操作に応じてオブジェクト５０を拡大縮小させる。
【００４９】
制御プログラム９Ａは、拡大縮小されたオブジェクト５０のサイズに応じて、第１の制御状態と第２の制御状態とを遷移させる機能を含む。第１の制御状態は、オブジェクト５０の表示体の数及び大きさを制御する状態である。第２の制御状態は、表示体の大きさを固定した状態で、表示体の数を制御する状態である。
【００５０】
例えば、オブジェクト５０を拡大させる場合、スマートフォン１は、オブジェクト５０のサイズが所定値まで拡大するまでは第１の制御状態で拡大制御を行う。拡大操作が継続された場合、スマートフォン１は、オブジェクト５０のサイズが所定値を超えて拡大すると、第１の制御状態から第２の制御状態に遷移し、第２の制御状態で拡大制御を行う。
【００５１】
例えば、オブジェクト５０を縮小させる場合、スマートフォン１は、オブジェクト５０のサイズが所定値まで縮小するまでは第２の制御状態で縮小制御を行う。縮小操作が継続された場合、スマートフォン１は、オブジェクト５０のサイズが所定値未満まで縮小すると、第２の制御状態から第１の制御状態に遷移し、第１の制御状態で縮小制御を行う。
【００５２】
テーブル９Ｔは、オブジェクト５０に関するオブジェクトデータを含む。オブジェクトデータは、複数のオブジェクト５０ごとに設けられている。オブジェクトデータは、例えば、アプリケーション、第１表示内容、第２表示内容、表示サイズ閾値といった項目を含む。アプリケーションの項目には、オブジェクト５０に対応付けられたアプリケーションに関する情報が設定される。第１表示内容の項目には、オブジェクト５０に固定で表示するデータが設定される。第２表示内容の項目には、オブジェクト５０に対して追加削減するデータが設定される。追加削減するデータが複数存在する場合、変更表示内容の項目には、追加削減する複数のデータの各々に優先度が関連付けられる。表示サイズ閾値の項目には、第１の制御状態と第２の制御状態との遷移を判定するための表示サイズの閾値が設定される。
【００５３】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、及びコプロセッサを含むが、これらに限定されない。コントローラ１０は、複数の演算処理装置を含んでもよい。コントローラ１０は、スマートフォン１の動作を統括的に制御して各種の機能を実現する。
【００５４】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、レシーバ７、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、方位センサ１６、及びジャイロスコープ１７を含むが、これらに限定されない。
【００５５】
コントローラ１０は、例えば、制御プログラム９Ａを実行することにより、タッチスクリーン２Ｂを介して検出されたジェスチャに応じて、ディスプレイ２Ａに表示されている情報を変更する等の各種制御を実行する。
【００５６】
カメラ１２は、フロントフェイス１Ａに面している物体を撮影するインカメラである。カメラ１３は、バックフェイス１Ｂに面している物体を撮影するアウトカメラである。
【００５７】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００５８】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。
【００５９】
図５においてストレージ９が記憶するプログラム及びデータの一部又は全部は、通信ユニット６による無線通信で他の装置からダウンロードされてもよい。図５においてストレージ９が記憶するプログラム及びデータの一部又は全部は、ストレージ９に含まれる読み取り装置が読み取り可能な非一過的な記憶媒体に記憶されていてもよい。図５においてストレージ９が記憶するプログラム及びデータの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００６０】
図５に示したスマートフォン１の構成は例であり、本発明の要旨を損なわない範囲において適宜変更してよい。例えば、ボタン３の数と種類は図５の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてもよいし、ボタンを備えなくてもよい。図５に示した例では、スマートフォン１が２つのカメラを備えるが、スマートフォン１は、１つのカメラのみを備えてもよいし、カメラを備えなくてもよい。図５に示した例では、スマートフォン１が位置及び姿勢を検出するために４種類のセンサを備えるが、スマートフォン１は、このうちいくつかのセンサを備えなくてもよい。あるいは、スマートフォン１は、位置及び姿勢の少なくとも１つを検出するための他の種類のセンサを備えてもよい。
【００６１】
図６を参照しながら、スマートフォン１によるオブジェクト５０の拡大に係る制御について説明する。図６は、スマートフォン１によるオブジェクト５０の拡大に係る制御の例を示す図である。以下の説明においては、同様の構成要素には同一の符号を付し、重複する説明は省略することがある。
【００６２】
利用者は、スマートフォン１を操作して、ホーム画面４０に対するウィジェット５０Ｂの追加を要求する。スマートフォン１は、ステップＳ１１として、複数のアイコン５０Ａと１つのウィジェット５０Ｂとを含むホーム画面４０を、テーブル９Ｔに基づいてタッチスクリーンディスプレイ２に表示する。ステップＳ１１では、ウィジェット５０Ｂは、表示体５１、表示体５２が付されている。表示体５１は、時と分とを含む時刻である。表示体５２は、ウィジェット５０Ｂのシンボルマークである。表示体５１及び表示体５２は、初期のサイズで表示されている。
【００６３】
ステップＳ１２では、利用者は、拡大可能なウィジェット５０Ｂの右上の角を、指Ｆによって位置Ｐ１までドラッグさせている。位置Ｐ１は、ウィジェット５０Ｂの表示サイズ閾値に対応したホーム画面４０上の位置となっている。
【００６４】
スマートフォン１は、ステップＳ１２として、タッチスクリーン２Ｂを介してウィジェット５０Ｂを拡大する方向へのドラッグのジェスチャを検出すると、拡大操作であると判定する。スマートフォン１は、指Ｆの接触位置に対応したウィジェット５０Ｂの表示サイズを求め、その表示サイズがテーブル９Ｔの表示サイズ閾値を超えたかを判定する。表示サイズが表示サイズ閾値を超えていない場合、スマートフォン１は、第１の制御状態で、ウィジェット５０Ｂの拡大表示を制御する。スマートフォン１は、第１の制御状態として、利用者の指Ｆの接触位置とテーブル９Ｔとに基づいて、ウィジェット５０Ｂを拡大するとともに、既に表示されている表示体５１及び表示体５２の大きさを拡大する。
【００６５】
ステップＳ１３では、ウィジェット５０Ｂは、表示サイズがホーム画面４０上の位置Ｐ１まで拡大され、表示体５１及び表示体５２が予め定められた表示体最大サイズまで拡大されている。表示体最大サイズとは、文字や画像の識別性が損なわれないサイズである。表示体最大サイズは、文字等が大きくなり過ぎて、輪郭等が粗くなることを避けるためのサイズとなっている。
【００６６】
ステップＳ１３では、利用者は、ウィジェット５０Ｂに対する拡大方向へのドラッグ操作を継続している。利用者は、位置Ｐ１まで拡大したウィジェット５０Ｂの右上の角を、指Ｆによって位置Ｐ２までドラッグさせている。位置Ｐ２は、ウィジェット５０Ｂの表示サイズ閾値を超えたホーム画面４０上の位置となっている。
【００６７】
スマートフォン１は、ステップＳ１３として、タッチスクリーン２Ｂを介して位置Ｐ１から位置Ｐ２へのドラッグのジェスチャを検出すると、拡大操作であると判定する。スマートフォン１は、指Ｆの接触位置に対応したウィジェット５０Ｂの表示サイズを求め、その表示サイズが表示サイズ閾値を超えたかを判定する。表示サイズが表示サイズ閾値を超えている場合、スマートフォン１は、第１の制御状態から第２の制御状態に遷移し、ウィジェット５０Ｂの拡大表示を制御する。スマートフォン１は、第２の制御状態として、利用者の指Ｆの接触位置とテーブル９Ｔとに基づいて、ウィジェット５０Ｂの表示サイズを拡大するとともに、既に表示されている表示体５１及び５２の大きさを固定した状態で、表示体５１の数を増やす。具体的には、スマートフォン１は、テーブル９Ｔの優先度に基づいて、ウィジェット５０Ｂの表示サイズを拡大させることによって生じたウィジェット５０Ｂの空きの領域に、表示体５１の表示していなかったデータを追加して表示する。なお、上記のステップＳ１１からＳ１３において、スマートフォン１が、表示体５１及び５２における表示体の数を増やす例については表示していない。
【００６８】
ステップＳ１４では、ウィジェット５０Ｂは、サイズがホーム画面４０上の位置Ｐ２まで拡大され、表示体５１及び５２の表示サイズが固定された状態で、表示体５１の数が増加されている。ステップＳ１４に示す例では、表示体５１は、「時」と「分」との２つのデータが表示されていた状態から、「時」と「分」と「秒」との３つのデータが表示された状態に変化している。
【００６９】
ステップＳ１４では、利用者は、ウィジェット５０Ｂに対する拡大方向へのドラッグ操作を継続している。利用者は、位置Ｐ２まで拡大したウィジェット５０Ｂの右上の角を、指Ｆによって位置Ｐ３までドラッグさせている。位置Ｐ３は、ホーム画面４０におけるウィジェット５０Ｂの最大サイズに対応した位置となっている。
【００７０】
スマートフォン１は、ステップＳ１４として、タッチスクリーン２Ｂを介して位置Ｐ２から位置Ｐ３へのドラッグのジェスチャを検出すると、拡大操作であると判定する。スマートフォン１は、指Ｆの接触位置に対応したウィジェット５０Ｂの表示サイズを求め、その表示サイズが表示サイズ閾値を超えたかを判定する。表示サイズが表示サイズ閾値を超えている場合、スマートフォン１は、第２の制御状態を継続し、ウィジェット５０Ｂの拡大表示を制御する。スマートフォン１は、第２の制御状態として、利用者の指Ｆの接触位置とテーブル９Ｔとに基づいて、ウィジェット５０Ｂの表示サイズを拡大するとともに、既に表示されている表示体５１及び表示体５２の大きさを固定した状態で、新たな表示体５３を追加する。具体的には、スマートフォン１は、テーブル９Ｔの優先度に基づいて、ウィジェット５０Ｂの表示サイズを拡大させることによって生じたウィジェット５０Ｂの空きの領域に、新たな表示体５３を追加して表示する。
【００７１】
ステップＳ１５では、ウィジェット５０Ｂは、表示サイズがホーム画面４０上の位置Ｐ３まで拡大され、表示体５１及び表示体５２の表示サイズが固定された状態で、新たな表示体５３が増加されている。ステップＳ１５に示す例では、表示体５３は、日付と曜日とを示す。
【００７２】
ステップＳ１５では、利用者は、ウィジェット５０Ｂに対するドラッグ操作を終了している。スマートフォン１は、タッチスクリーン２Ｂを介してリリースのジェスチャを検出すると、ホーム画面４０の編集を終了する。
【００７３】
このように、スマートフォン１は、ウィジェット５０Ｂの表示サイズが表示サイズ閾値まで拡大するまでは、既に表示している表示体の数及び大きさを変化させ、ウィジェット５０Ｂの表示サイズが表示サイズ閾値を超えて拡大すると、既に表示している表示体の大きさを固定する。これにより、スマートフォン１は、ウィジェット５０Ｂにおける表示体の識別性を維持した状態で、表示体の拡大を制御することができる。
【００７４】
スマートフォン１は、ウィジェット５０Ｂの表示サイズが表示サイズ閾値まで拡大するまでは、既に表示している表示体の数及び大きさを制御し、ウィジェット５０Ｂの表示サイズが表示サイズ閾値を超えて拡大すると、表示されていない表示体をウィジェット５０Ｂに表示する。スマートフォン１は、表示されていない表示体を優先度の高い順に追加することにより、複数の表示体が重なることなく、オブジェクト５０に追加することができる。これにより、スマートフォン１は、ウィジェット５０Ｂにおける表示体の識別性を損なうことなく、ウィジェット５０Ｂにおける情報量を増やすことができる。
【００７５】
図７を参照しながら、スマートフォン１によるオブジェクト５０の縮小に係る制御について説明する。図７は、スマートフォン１によるオブジェクト５０の縮小に係る制御の例を示す図である。
【００７６】
ステップＳ２１では、スマートフォン１は、複数のアイコン５０Ａと１つのウィジェット５０Ｂで覆われたホーム画面４０を、タッチスクリーンディスプレイ２に表示している。ウィジェット５０Ｂは、表示体５１、表示体５２及び表示体５３を表示している。利用者は、縮小可能なウィジェット５０Ｂの右上の角を、指Ｆによって位置Ｐ４までドラッグさせている。位置Ｐ４は、ウィジェット５０Ｂの表示サイズ閾値を超えたホーム画面４０上の位置となっている。
【００７７】
スマートフォン１は、ステップＳ２１として、タッチスクリーン２Ｂを介してウィジェット５０Ｂを縮小する方向へのドラッグのジェスチャを検出すると、縮小操作であると判定する。スマートフォン１は、指Ｆの接触位置に対応したウィジェット５０Ｂの表示サイズを求め、その表示サイズが表示サイズ閾値未満かを判定する。表示サイズが表示サイズ閾値未満まで縮小していない場合、スマートフォン１は、第２の制御状態で、ウィジェット５０Ｂの縮小表示を制御する。スマートフォン１は、第２の制御状態として、利用者の指Ｆの接触位置とテーブル９Ｔとに基づいて、ウィジェット５０Ｂの表示サイズを縮小するとともに、既に表示されている表示体５２の大きさを固定した状態で、他の表示体の数を減少させる。具体的には、スマートフォン１は、ウィジェット５０Ｂの表示サイズを縮小させることによってウィジェット５０Ｂの表示領域が減少すると、テーブル９Ｔの優先度の低い順に、表示体５３を削除する。
【００７８】
ステップＳ２２では、ウィジェット５０Ｂは、表示サイズがホーム画面４０上の位置Ｐ４まで縮小され、表示体５３が消去され、表示データの数が減少していない表示体５１と表示体５２とを表示している。
【００７９】
ステップＳ２２では、利用者は、ウィジェット５０Ｂに対する縮小方向へのドラッグ操作を継続している。利用者は、位置Ｐ４まで縮小したウィジェット５０Ｂの右上の角を、指Ｆによって位置Ｐ５までドラッグさせている。位置Ｐ５は、ウィジェット５０Ｂの表示サイズ閾値に対応したホーム画面４０上の位置となっている。
【００８０】
スマートフォン１は、ステップＳ２２として、タッチスクリーン２Ｂを介してウィジェット５０Ｂを縮小する方向へのドラッグのジェスチャを検出すると、縮小操作であると判定する。スマートフォン１は、指Ｆの接触位置に対応したウィジェット５０Ｂの表示サイズを求め、その表示サイズが表示サイズ閾値未満かを判定する。表示サイズが表示サイズ閾値未満まで縮小していない場合、スマートフォン１は、第２の制御状態で、ウィジェット５０Ｂの縮小表示を制御する。スマートフォン１は、第２の制御状態として、利用者の指Ｆの接触位置とテーブル９Ｔとに基づいて、ウィジェット５０Ｂの表示サイズを縮小するとともに、既に表示されている表示体５２の大きさを固定した状態で、他の表示体の数を減少させる。具体的には、スマートフォン１は、ウィジェット５０Ｂの表示サイズを縮小させることによってウィジェット５０Ｂの表示領域が減少すると、テーブル９Ｔの優先度に基づいて表示体５１の数を削除する。
【００８１】
ステップＳ２３では、ウィジェット５０Ｂは、表示サイズがホーム画面４０上の位置Ｐ５まで縮小され、表示データの数が減少した表示体５１と表示体５２とを表示している。ステップＳ２３に示す例では、表示体５１は、「時」と「分」と「秒」との３つの表示データが表示されていた状態から、「時」と「分」との２つの表示データが表示された状態に変化している。
【００８２】
ステップＳ２３では、利用者は、ウィジェット５０Ｂに対する縮小方向へのドラッグ操作を継続している。利用者は、位置Ｐ５まで縮小したウィジェット５０Ｂの右上の角を、指Ｆによって位置Ｐ６までドラッグさせている。位置Ｐ６は、ホーム画面４０におけるウィジェット５０Ｂの最小サイズに対応した位置となっている。
【００８３】
スマートフォン１は、ステップＳ２３として、タッチスクリーン２Ｂを介してウィジェット５０Ｂを縮小する方向へのドラッグのジェスチャを検出すると、縮小操作であると判定する。スマートフォン１は、指Ｆの接触位置に対応したウィジェット５０Ｂの表示サイズを求め、その表示サイズが表示サイズ閾値未満であるかを判定する。表示サイズが表示サイズ閾値未満まで縮小している場合、スマートフォン１は、第２の制御状態から第１の制御状態に遷移し、ウィジェット５０Ｂの縮小表示を制御する。スマートフォン１は、第１の制御状態として、利用者の指Ｆの接触位置とテーブル９Ｔとに基づいて、ウィジェット５０Ｂの表示サイズを縮小し、既に表示されている表示体５１及び表示体５２の大きさを縮小する。
【００８４】
ステップＳ２４では、ウィジェット５０Ｂは、表示サイズがホーム画面４０上の位置Ｐ６まで縮小され、大きさが縮小された表示体５１及び表示体５２が表示されている。ステップＳ２４では、利用者は、ウィジェット５０Ｂに対するドラッグ操作を終了している。スマートフォン１は、タッチスクリーン２Ｂを介してリリースのジェスチャを検出すると、ホーム画面４０の編集を終了する。
【００８５】
このように、スマートフォン１は、ウィジェット５０Ｂが表示サイズ閾値まで縮小するまでは、既に表示している表示体の大きさを固定し、ウィジェット５０Ｂが表示サイズ閾値未満まで縮小されると、既に表示している表示体の数及び大きさを変化させる。なお、表示体の数を増やす例については図示していない。これにより、スマートフォン１は、ウィジェット５０Ｂにおける表示体の識別性を維持した状態で、表示体の縮小を制御することができる。スマートフォン１は、ウィジェット５０Ｂの表示サイズを縮小する際に、表示体の表示サイズを固定することにより、表示体の表示サイズが急激に小さくなることを防止することができる。
【００８６】
スマートフォン１は、ウィジェット５０Ｂが表示サイズ閾値まで縮小するまでは、既に表示している表示体の数を削減し、ウィジェット５０Ｂが表示サイズ閾値未満まで縮小されると、既に表示している表示体を縮小する。これにより、スマートフォン１は、オブジェクト５０が小さくなっても、必要最低限の情報をオブジェクト５０に表示することができる。スマートフォン１は、既に表示されている表示体を優先度の低い順に削減することにより、複数の表示体が重なることなく、オブジェクト５０を縮小させることができる。
【００８７】
以上のように、スマートフォン１は、オブジェクト５０における表示体の数、大きさを拡大縮小に応じて最適化することで、情報量を最適化するとともに、ホーム画面４０における表示体の識別性、読みやすさを維持することができる。
【００８８】
上記の実施形態では、スマートフォン１は、ウィジェット５０Ｂを拡大縮小する場合について説明したが、これに限定されない。スマートフォン１は、アイコン５０Ａを拡大縮小するように構成されてもよい。例えば、スマートフォン１は、第１の制御状態として、アイコン５０Ａのサイズの拡大縮小に応じて、表示体の拡大縮小及び数の増減を制御する。スマートフォン１は、第２の制御状態として、アイコン５０Ａのサイズの拡大縮小に応じて、表示体の大きさを固定した状態で、表示体の数の増減を制御する。
【００８９】
図８を参照しながら、スマートフォン１によるオブジェクト５０の拡大に関する制御の処理手順について説明する。図８は、スマートフォン１によるオブジェクト５０の拡大制御の例の処理手順を示すフローチャートである。図８に示す処理手順は、コントローラ１０が制御プログラム９Ａを実行することによって実現される。図８に示す処理手順は、繰り返し実行される。
【００９０】
図８に示すように、スマートフォン１のコントローラ１０は、ステップＳ１０１として、オブジェクト５０の拡大操作があるかを判定する。具体的には、コントローラ１０は、タッチスクリーン２Ｂを介してオブジェクト５０を拡大するジェスチャを検出した場合に、拡大操作があると判定する。拡大操作がない場合（ステップＳ１０２，Ｎｏ）、コントローラ１０は、図８に示す処理手順を終了する。
【００９１】
拡大操作がある場合（ステップＳ１０２，Ｙｅｓ）、コントローラ１０は、ステップＳ１０３に進む。コントローラ１０は、ステップＳ１０３として、接触位置に対応したオブジェクト５０の表示サイズを特定する。具体的には、コントローラ１０は、タッチスクリーン２Ｂを介して検出した接触位置まで、オブジェクト５０を拡大させた場合の表示サイズを特定する。
【００９２】
コントローラ１０は、ステップＳ１０４として、テーブル９Ｔに基づいて、表示サイズが表示サイズ閾値を超えたかを判定する。表示サイズが表示サイズ閾値を超えていない場合（ステップＳ１０５，Ｎｏ）、コントローラ１０は、ステップＳ１０６に進む。
【００９３】
コントローラ１０は、ステップＳ１０６として、ステップＳ１０３で特定した表示サイズにオブジェクト５０を拡大する。コントローラ１０は、ステップＳ１０７として、表示体の拡大および数の増加を制御する。具体的には、コントローラ１０は、オブジェクト５０を拡大した倍率等に基づいて表示体のサイズを拡大する。コントローラ１０は、オブジェクト５０が所定のサイズまで拡大されて、オブジェクト５０に表示体の追加領域が生じた場合、テーブル９Ｔの優先度に基づいて表示体の数を増加する。
【００９４】
オブジェクト５０のサイズが変更されると、コントローラ１０は、ステップＳ１０８として、変更されたオブジェクト５０が表示されるように、ディスプレイ２Ａの表示を更新する。コントローラ１０は、ステップＳ１０９として、オブジェクト５０に対する拡大操作が継続中であるかを判定する。具体的には、コントローラ１０は、タッチスクリーン２Ｂを介してオブジェクト５０を拡大するジェスチャが継続中であることを検出した場合に、拡大操作が継続中であると判定する。
【００９５】
拡大操作が継続中である場合（ステップＳ１１０，Ｙｅｓ）、コントローラ１０は、ステップＳ１０３以降の処理を再実行する。拡大操作が継続中ではない場合（ステップＳ１１０，Ｎｏ）、コントローラ１０は、図８に示す処理手順を終了する。
【００９６】
オブジェクト５０の表示サイズが表示サイズ閾値を超えた場合（ステップＳ１０５，Ｙｅｓ）、コントローラ１０は、ステップＳ１１１に進む。コントローラ１０は、ステップＳ１１１として、ステップＳ１０３で特定した表示サイズにオブジェクト５０を拡大する。コントローラ１０は、ステップＳ１１２として、拡大操作が行われているオブジェクト５０に、既に表示されている表示体の大きさを固定した状態で、表示体の数の増加を制御する。具体的には、コントローラ１０は、オブジェクト５０が所定のサイズまで拡大されて、オブジェクト５０に表示体の追加領域が生じた場合、テーブル９Ｔの優先度に基づいて表示体の数を増加する。その後、コントローラ１０は、既に説明したステップＳ１０８以降の処理を実行する。
【００９７】
図９を参照しながら、スマートフォン１によるオブジェクト５０の縮小に関する制御の処理手順について説明する。図９は、スマートフォン１によるオブジェクト５０の縮小制御の例の処理手順を示すフローチャートである。図９に示す処理手順は、コントローラ１０が制御プログラム９Ａを実行することによって実現される。図９に示す処理手順は、繰り返し実行される。
【００９８】
図９に示すように、スマートフォン１のコントローラ１０は、ステップＳ２０１として、オブジェクト５０の縮小操作があるかを判定する。具体的には、コントローラ１０は、タッチスクリーン２Ｂを介してオブジェクト５０を縮小するジェスチャを検出した場合に、縮小操作があると判定する。縮小操作がない場合（ステップＳ２０２，Ｎｏ）、コントローラ１０は、図９に示す処理手順を終了する。
【００９９】
縮小操作がある場合（ステップＳ２０２，Ｙｅｓ）、コントローラ１０は、ステップＳ２０３に進む。コントローラ１０は、ステップＳ２０３として、接触位置に対応したオブジェクト５０の表示サイズを特定する。具体的には、コントローラ１０は、タッチスクリーン２Ｂを介して検出した接触位置まで、オブジェクト５０を縮小させた場合の表示サイズを特定する。
【０１００】
コントローラ１０は、ステップＳ２０４として、テーブル９Ｔに基づいて、表示サイズが表示サイズ閾値未満であるかを判定する。
【０１０１】
オブジェクト５０の表示サイズが表示サイズ閾値未満である場合（ステップＳ２０５，Ｙｅｓ）、コントローラ１０は、ステップＳ２１１に進む。コントローラ１０は、ステップＳ２１１として、ステップＳ２０３で特定した表示サイズにオブジェクト５０を縮小する。コントローラ１０は、ステップＳ２１２として、縮小操作が行われているオブジェクト５０に、既に表示されている表示体の大きさを固定した状態で、表示体の数の削減を制御する。具体的には、コントローラ１０は、オブジェクト５０が所定のサイズまで縮小されたときに、テーブル９Ｔの優先度に基づいて表示体の数を削減する。
【０１０２】
オブジェクト５０のサイズが変更されると、コントローラ１０は、ステップＳ２０８として、変更されたオブジェクト５０が表示されるように、ディスプレイ２Ａの表示を更新する。コントローラ１０は、ステップＳ２０９として、オブジェクト５０に対する縮小操作が継続中であるかを判定する。具体的には、コントローラ１０は、タッチスクリーン２Ｂを介してオブジェクト５０を縮小するジェスチャが継続中であることを検出した場合に、縮小操作が継続中であると判定する。
【０１０３】
縮小操作が継続中である場合（ステップＳ２１０，Ｙｅｓ）、コントローラ１０は、ステップＳ２０３以降の処理を再実行する。縮小操作が継続中ではない場合（ステップＳ２１０，Ｎｏ）、コントローラ１０は、図９に示す処理手順を終了する。
【０１０４】
表示サイズが表示サイズ閾値未満ではない場合（ステップＳ２０５，Ｎｏ）、コントローラ１０は、ステップＳ２０６に進む。コントローラ１０は、ステップＳ２０６として、ステップＳ２０３で特定した表示サイズにオブジェクト５０を縮小する。コントローラ１０は、ステップＳ２０７として、表示体の縮小および数の削減を制御する。具体的には、コントローラ１０は、オブジェクト５０を縮小した倍率等に基づいて表示体のサイズを縮小する。コントローラ１０は、オブジェクト５０が所定のサイズまで縮小されたときに、テーブル９Ｔの優先度に基づいて表示体の数を削減する。その後、コントローラ１０は、既に説明したステップＳ２０８以降の処理を実行する。
【０１０５】
本出願の開示する実施形態は、発明の要旨及び範囲を逸脱しない範囲で変更することができる。さらに、本出願の開示する実施形態及びその変形例は、適宜組み合わせることができる。例えば、上記の実施形態は、以下のように変形してもよい。
【０１０６】
例えば、図５に示した各プログラムは、複数のモジュールに分割されていてもよいし、他のプログラムと結合されていてもよい。
【０１０７】
上記の実施形態では、スマートフォン１は、ホーム画面４０におけるオブジェクト５０の全てに表示体が付される（表示される）場合について説明したが、これに限定されない。例えば、スマートフォン１は、表示体が付されたオブジェクト５０と、表示体が付されていないオブジェクトとをホーム画面４０に配置するように構成されてもよい。
【０１０８】
上記の実施形態では、スマートフォン１は、ホーム画面４０におけるオブジェクト５０の拡大縮小を制御する場合について説明したが、これに限定されない。例えば、スマートフォン１の拡大縮小制御は、拡大縮小が可能なオブジェクトが配置される各種画面に適用することができる。
【０１０９】
上記の実施形態では、電子機器の例として、スマートフォンについて説明したが、添付の請求項に係る電子機器は、スマートフォンに限定されない。添付の請求項に係る電子機器は、スマートフォン以外の電子機器であってもよい。電子機器は、例えば、モバイルフォン、タブレット、携帯型パソコン、デジタルカメラ、メディアプレイヤ、電子書籍リーダ、ナビゲータ、及びゲーム機を含むが、これに限定されない。
【０１１０】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【０１１１】
１  スマートフォン
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  メールアプリケーション
９Ｃ  ブラウザアプリケーション
９Ｄ  ナビゲートアプリケーション
９Ｅ  音楽プレイヤーアプリケーション
９Ｆ  カメラアプリケーション
９Ｇ  計算機アプリケーション
９Ｔ  テーブル
９Ｚ  設定データ
１０  コントローラ
１１  スピーカ
１２、１３  カメラ
１４  コネクタ
１５  加速度センサ
１６  方位センサ
１７  ジャイロスコープ
【図１】
0006532697.tif 000002
【図２】
0006532697.tif 000003
【図３】
0006532697.tif 000004
【図４】
0006532697.tif 000005
【図５】
0006532697.tif 000006
【図６】
0006532697.tif 000007
【図７】
0006532697.tif 000008
【図８】
0006532697.tif 000009
【図９】
0006532697.tif 000010